(57)【要約】【課題】  部品点数を削減することができるライトアングルコネクタを提供すること。また、配線基板挿入側のコンタクトをランダムに配置することができるライトアングルコネクタを提供すること。【解決手段】  ライトアングルコネクタ１０は、略Ｌ字状に形成された複数のコンタクト２０と、これらのコンタクト２０が配列されるハウジング３０とで構成され、各コンタクト２０は、相手コネクタが嵌合される方向に前記ハウジング３０に配置される水平部２１と、配線基板に取り付けられる方向に前記ハウジング３０に配置される垂直部２２と、配線基板のスルーホールに圧入されるプレスフィット部２３とを含み、ハウジング３０は、水平部２１が挿入されて固定される複数の挿入溝３４と、垂直部２２が挿入されて保持される複数のスリット３５と、水平部２１の上面を覆うように形成された上部平面３３とを備えている。【選択図】            図１
2006107817.tif 000002
【特許請求の範囲】
【請求項１】
相手コネクタが嵌合される方向と直交する方向に配線基板に取り付けられるライトアングルコネクタにおいて、
略Ｌ字状に形成された複数のコンタクトと、
前記複数のコンタクトが配列されるハウジングとを有し、
前記コンタクトは、相手コネクタが嵌合される方向に前記ハウジングに配置される水平部と、配線基板に取り付けられる方向に前記ハウジングに配置される垂直部と、配線基板のスルーホールに圧入されるプレスフィット部とを含み、
前記ハウジングは、前記水平部が挿入されて固定される複数の挿入溝と、前記垂直部が挿入されて保持される複数のスリットと、前記水平部の上面を覆うように形成された上部平面とを備え、
前記上部平面が押圧されて配線基板に取り付けられることを特徴とするライトアングルコネクタ。
【請求項２】
請求項１に記載するライトアングルコネクタにおいて、
前記ハウジングのうち前記上部平面の下部は、格子状に形成されていることを特徴とするライトアングルコネクタ。
【請求項３】
請求項１または請求項２に記載するライトアングルコネクタにおいて、
前記挿入溝は、前記水平部の上下端を支持固定するように対向配置されていることを特徴とするライトアングルコネクタ。
【請求項４】
請求項１から請求項３のいずれか１つに記載するライトアングルコネクタにおいて、
前記複数のスリットには、配列間隔が異なるものが含まれていることを特徴とするライトアングルコネクタ。
【請求項５】
請求項１から請求項４にいずれか１つに記載するライトアングルコネクタにおいて、
前記スリットに、相手コネクタが嵌合される方向に複数のコンタクトを配置可能であり、
前記複数の挿入溝には、高さ位置が異なるものが含まれていることを特徴とするライトアングルコネクタ。
【請求項６】
請求項１から請求項５のいずれか１つに記載するライトアングルコネクタにおいて、
前記スリットは、少なくとも前記垂直部の先端部分を保持する先端保持部を備えることを特徴とするライトアングルコネクタ。
【発明の詳細な説明】
【技術分野】
【０００１】
本発明は、配線基板に取り付けられて、相手コネクタと配線基板との電気的な接続を行うコネクタに関する。より詳細には、相手コネクタが嵌合される方向と直交する方向に配線基板に取り付けられるライトアングルコネクタに関するものである。
【背景技術】
【０００２】
従来から、配線基板上に実装されて、配線基板の回路にコンタクトを接続するライトアングルコネクタが広く使用されている。このようなライトアングルコネクタとして、例えば、特開２００１−６７７１号公報に開示されたものがある。
【０００３】
ここに開示されているライトアングルコネクタは、略Ｌ字状に形成された複数のコンタクトと、これらのコンタクトの一端部が挿入固定されるとともに、他端部が前記コンタクトの挿入方向と直交する方向に沿って保持されるハウジングと、このハウジングの前記コンタクトの固定面に前記コンタクトの挿入方向と直交する方向から装着されるとともに、前記コンタクトの他端部が挿入される複数のスリットが形成されたロケータとを備え、このロケータには、前記スリットに連続し、かつ、前記コンタクトの他端が貫通させられる貫通孔が形成されている。
【０００４】
このような構成により、このライトアングルコネクタでは、複数あるコンタクトの整列性を高めて、これらのコンタクトと配線基板との位置合わせを簡便なものとして、その組付け性を向上させ、かつ、製造コストの低減をはかることができるようになっている。
【０００５】
【特許文献１】特開２００１−６７７１号公報（第２〜３頁、図１）
【発明の開示】
【発明が解決しようとする課題】
【０００６】
しかしながら、上記した特開２００１−６７７１号公報に記載されたものを含めて従来のライトアングルコネクタでは、ロケータ（あるいはコンタクトカバー）が必要であり、構成部品点数が多くなるという問題があった。また、ロケータ（あるいはコンタクトカバー）を備えているため、配線基板に実装する素子の配置制約範囲（素子を実装することができない範囲）が大きいという問題もあった。
【０００７】
さらに、ロケータ（あるいはコンタクトカバー）を利用して、複数のコンタクトを配線基板のスルーホールに圧入するため、ハウジングに複数のコンタクトをランダムに配置することができないという問題もあった。具体的には、Ｐｏｗｅｒ，Ｍｉｄ，Ｓｉｇｎａｌなどの異なるピッチを持ついわゆるハイブリッドコネクタに対応することができない。
【０００８】
そこで、本発明は上記した課題を解決するためになされたものであり、部品点数を削減することができるライトアングルコネクタを提供することを課題とする。また、本発明は、配線基板挿入側のコンタクトをランダムに配置することができるライトアングルコネクタを提供することを課題とする。
【課題を解決するための手段】
【０００９】
上記課題を解決するためになされた本発明に係るライトアングルコネクタは、相手コネクタが嵌合される方向と直交する方向に配線基板に取り付けられるライトアングルコネクタにおいて、略Ｌ字状に形成された複数のコンタクトと、前記複数のコンタクトが配列されるハウジングとを有し、前記コンタクトは、相手コネクタが嵌合される方向に前記ハウジングに配置される水平部と、配線基板に取り付けられる方向に前記ハウジングに配置される垂直部と、配線基板のスルーホールに圧入されるプレスフィット部とを含み、前記ハウジングは、前記水平部が挿入されて固定される複数の挿入溝と、前記垂直部が挿入されて保持される複数のスリットと、前記水平部の上面を覆うように形成された上部平面とを備え、前記上部平面が押圧されて配線基板に取り付けられることを特徴とする。
【００１０】
このライトアングルコネクタは、ハウジングとコンタクトのみで構成され、ハウジングの上部平面を押圧することにより、ハウジングに配列されたコンタクトのプレスフィット部が配線基板のスルーホールに圧入される。つまり、従来は必要であったロケータ（コンタクトカバー）が不要となる。したがって、従来のコネクタに比べて部品点数を削減することができる。
【００１１】
そして、複数のコンタクトはハウジングに保持・固定されているので、ハウジングの上部平面を押圧してコンタクトを配線基板に圧入する際に、複数のコンタクトと配線基板との位置合わせが容易になる。その結果、プレスフィット部がずれることなく、複数のコンタクトをスルーホールに対して同時に安定して圧入することができる。これにより、配線基板に取り付けられた後において、スルーホールとコンタクトの接続安定性がよい。
【００１２】
また、このライトアングルコネクタでは、ロケータを使用しなくても配線基板に装着することができる。これにより、配線基板側の素子とコネクタの干渉を最小限にすることができる。したがって、素子の配置制約範囲を最小化することができる。具体的には、配線基板上に配置する素子をコネクタの装着位置近傍に配置することができる。
【００１３】
さらに、このライトアングルコネクタでは、ロケータを使用しなくても配線基板に装着することができるため、配線基板への装着工程の削減も図ることができる。これにより、ライトアングルコネクタの配線基板への装着時間を短縮することができるため生産効率が向上する。
【００１４】
本発明に係るライトアングルコネクタにおいては、前記ハウジングのうち前記上部平面の下部は、格子状に形成されていることが望ましい。
【００１５】
上部平面の下部を格子状にすることにより、ハウジングの剛性を高められる。このため、上部平面を押圧した際にその押圧力をハウジングを介して確実にコンタクトに伝達することができる。
【００１６】
また、本発明に係るライトアングルコネクタにおいては、前記挿入溝は、前記水平部の上下端を支持固定するように対向配置されていることが望ましい。
【００１７】
ハウジングの挿入溝を対向配置して、コンタクトの水平部の上下端を支持固定することにより、ハウジングがコンタクトをしっかりと保持固定することができるからである。その結果、ハウジングの上部平面を押圧してコンタクトを配線基板に圧入したときに、複数のコンタクトをスルーホールに対して安定して圧入することができる。また、配線基板に取り付けられた後において、スルーホールとコンタクトの接続安定性がよい。
【００１８】
また、本発明に係るライトアングルコネクタにおいては、前記複数のスリットには、配列間隔が異なるものが含まれていることが望ましい。
【００１９】
ハウジングに設けられた複数のスリットに配列間隔が異なるものを含めることにより、コンタクトの配置をランダムなものにすることができる。これにより、Ｐｏｗｅｒ，Ｍｉｄ，Ｓｉｇｎａｌなどの異なるピッチを持ついわゆるハイブリッドコネクタに対応することができる。
【００２０】
また、本発明に係るライトアングルコネクタにおいては、前記スリットに、相手コネクタが嵌合される方向に複数のコンタクトを配置可能であり、前記複数の挿入溝には、高さ位置が異なるものが含まれていることが望ましい。
【００２１】
このようなスリットと挿入溝をハウジングに設けることにより、ハウジング内にコンタクトを多極、多段積みすることができる。
【００２２】
また、本発明に係るライトアングルコネクタにおいては、前記スリットは、少なくとも前記垂直部の先端部分を保持する先端保持部を備えることが望ましい。なお、垂直部の先端部分とは、コンタクトの垂直部とプレスフィット部との境界付近を意味する。
【００２３】
これにより、スリットが垂直部の先端部分をしっかりと保持することができる。そのため、コンタクトと配線基板のスルーホールとの位置合わせが容易になる。このため、プレスフィット部がずれることなくスルーホールに圧入される。
【発明の効果】
【００２４】
本発明に係るライトアングルコネクタによれば、コンタクトとハウジングのみで構成したので、ロケータが不要となり部品点数を削減することができる。また、上記したようなスリットと挿入溝をハウジングに設けることにより、配線基板挿入側のピン（コンタクトのプレスフィット部）の配置をランダムに配置することができる。
【発明を実施するための最良の形態】
【００２５】
以下、本発明のライトアングルコネクタを具体化した最も好適な実施の形態について、図面に基づいて詳細に説明する。そこで、本実施の形態に係るライトアングルコネクタの概略構成を図１〜図４に示す。図１は、ライトアングルコネクタの斜視図である。図２は、ライトアングルコネクタの背面図である。図３は、ライトアングルコネクタの側面図である。図４は、ライトアングルコネクタの断面図である。
【００２６】
ライトアングル１０は、複数のコンタクト２０と、それらのコンタクト２０が配列されたハウジング３０とを備えている。各コンタクト２０は、図４に示すように、導電性材料からなる板材をプレス加工により打ち抜いて略Ｌ字状に形成したものである。具体的に、コンタクト２０は、相手コネクタが嵌合される方向にハウジング３０に配置される水平部２１と、配線基板に取り付けられる方向にハウジング３０に配置される垂直部２２とを有し、これらによって略Ｌ字状に形成されている。
【００２７】
コンタクト２０の水平部２１の先端２１ａが、ハウジング３０のコネクタ部３１内に配置されている。これにより、相手コネクタ端子と水平部２１の先端２１ａとが接続されるようになっている。また、コンタクト２０の垂直部２２の先端には、プレスフィット部２３が形成されている。このプレスフィット部２３は、塑性変形もしくは弾性変形して配線基板に形成されたスルーホールとの電気的接続を確保するものである。
【００２８】
そして、図１または図２に示すように、ハウジング３０に上記した基本構成を有する相似形のコンタクト２０が複数配列されて、ライトアングルコネクタ１０が構成されている。コンタクト２０が配列されるハウジング３０は、略直方体状をなしており、コネクタ部３１と、コンタクト保持部３２と、上部平面３３とを備えている。
【００２９】
コネクタ部３１は、相手コネクタが嵌合する箇所である。コンタクト保持部３２は、上記したコンタクト２０を保持・固定する箇所である。上部平面３３は、コンタクト保持部３２の上部に形成された平面であり、ライトアングルコネクタ１０を配線基板に取り付ける際に押圧される箇所である。この上部平面３３は、コンタクト２０の水平部２１上面を覆っている。なお、本実施の形態では、最上段に配置されたコンタクト２０の水平部上面を覆っていないが、もちろん覆うようにしてもよい。そして、上部平面３３の下部は、図１または図２に示すように、格子状に形成されている。
【００３０】
ここで、コンタクト保持部３２には、図２に示すように、コンタクト２０の水平部２１が挿入されて固定される複数の挿入溝３４と、コンタクト２０の垂直部２２が挿入されて固定される複数のスリット３５とが形成されている。
【００３１】
挿入溝３４は、コンタクト２０の水平部２１の上下端を支持固定するように対向配置されている。このため、ハウジング３０がコンタクト２０をしっかりと保持固定することができる。また、挿入溝３４は、コンタクト支持部３２において、高さ位置が異なる箇所にも形成されている。
【００３２】
一方、各スリット３５は、基本的に配列間隔が等しい状態で形成されているが、図２の左端部に示すように、配列間隔が異なるように形成することもできる。このようにして、ハウジング３０に形成する複数のスリット３５に配列間隔が異なるものを含めることにより、コンタクト２０の配置をランダムなものにすることができる。これにより、Ｐｏｗｅｒ，Ｍｉｄ，Ｓｉｇｎａｌなどの異なるピッチを持ついわゆるハイブリッドコネクタに対応することができる。
【００３３】
また、スリット３５には、図１または図３に示すように、少なくともコンタクト２０の垂直部２２の先端部分を保持する先端保持部３５ａが備わっている。ここで、垂直部２２の先端部分とは、コンタクト２０の垂直部２２とプレスフィット部２３との境界付近のことである。このため、コンタクト２０の垂直部２２の先端部分は、先端保持部３５ａによってしっかりと保持される。したがって、コンタクト２０と配線基板のスルーホールとの位置合わせが容易である。
【００３４】
さらに、スリット３５には、相手コネクタが嵌合される方向に複数のコンタクト３０が配置可能となっている。そして、上記したように、コンタクト支持部３２には、高さ位置が異なる挿入溝３４が形成されている。これらにより、ハウジング３０内に複数のコンタクト２０を多極、多段積みすることができる。
【００３５】
ここで、上記のライトアングルコネクタ１０を配線基板に装着するには、まず、配線基板のスルーホールとコンタクト２０のプレスフィット部２３との位置合わせを行う。このとき、各コンタクト２０がハウジング３０にしっかりと保持・固定されている。このため、容易に位置合わせを行うことができる。
【００３６】
そして、ハウジング３０の上部平面３３を押圧する。ここで、上部平面３３の下部が格子状に形成されているので、ハウジング３０の押圧部分の剛性が高められている。このため、上部平面３３を押圧した際にその押圧力をハウジング３０を介して確実にコンタクト２０のプレスフィット部２３に伝達することができる。
【００３７】
これにより、ハウジング３０の上部平面３３を押圧するだけで、複数のコンタクト２０のプレスフィット部２３を配線基板のスルーホール内に安定して圧入することができる。つまり、ライトアングルコネクタ１０によれば、ロケータ等を使用することなく配線基板に装着することができる。したがって、配線基板への装着工程の削減も図ることができる。
【００３８】
また、各コンタクト２０がハウジング３０にしっかりと保持・固定されているので、配線基板に取り付けられた後において、各コンタクト２０のプレスフィット部２３とスルーホールとの接続安定性もよい。つまり、ライトアングルコネクタ１０を使用することにより、高い接続信頼性が得られるのである。
【００３９】
以上、詳細に説明したように本実施の形態に係るライトアングルコネクタ１０は、ハウジング３０とコンタクト２０のみで構成され、ハウジング３０の上部平面３３を押圧することにより、ハウジング３０に配列されたコンタクト２０のプレスフィット部２３が配線基板のスルーホールに圧入される。つまり、従来は必要であったロケータ（コンタクトカバー）が不要である。したがって、ライトアングルコネクタ１０は、従来のコネクタに比べて部品点数が削減されている。
【００４０】
そして、ライトアングルコネクタ１０では、複数のコンタクト２０がハウジング３０にしっかりと保持・固定されている。このため、ハウジング３０の上部平面３３を押圧してコンタクト２０を配線基板に圧入する際に、複数のコンタクト２０とスルーホールとの位置合わせが容易である。そのため、コンタクト２０のプレスフィット部２３がずれることがない。したがって、複数のコンタクト２０を配線基板のスルーホール内に同時に安定して圧入することができる。また、配線基板に取り付けられた後において、各コンタクト２０のプレスフィット部２３とスルーホールとの接続安定性がよい。
【００４１】
また、ライトアングルコネクタ１０では、ハウジング３０に形成する複数のスリット３５に配列間隔が異なるものを含めているので、コンタクト２０の配置をランダムなものにすることができる。
【００４２】
また、ライトアングルコネクタ１０では、ロケータを使用しなくても配線基板に装着することができるので、配線基板側の素子とコネクタの干渉を最小限にすることができる。したがって、素子の配置制約範囲を最小化することができる。具体的には、配線基板上に配置する素子をコネクタの装着位置近傍にも配置することができる。
【００４３】
さらに、ライトアングルコネクタ１０では、ロケータを使用しなくても配線基板に装着することができるので、配線基板への装着工程の削減を図ることができる。これにより、ライトアングルコネクタ１０の配線基板への装着時間を短縮することができるため、生産効率が向上する。
【００４４】
なお、上記した実施の形態は単なる例示にすぎず、本発明を何ら限定するものではなく、その要旨を逸脱しない範囲内で種々の改良、変形が可能であることはもちろんである。例えば、ハウジング３０に設ける挿入溝３４およびスリット３５の数を変更して、任意のピン配列を有するライトアングルコネクタを製作することができる。
【図面の簡単な説明】
【００４５】
【図１】本実施の形態に係るライトアングルコネクタを示す斜視図である。
【図２】本実施の形態に係るライトアングルコネクタを示す背面図である。
【図３】本実施の形態に係るライトアングルコネクタを示す側面図である。
【図４】本実施の形態に係るライトアングルコネクタを示す断面図である。
【符号の説明】
【００４６】
１０    ライトアングルコネクタ
２０    コンタクト
２１    水平部
２２    垂直部
２３    プレスフィット部
３０    ハウジング
３１    コネクタ部
３２    コンタクト保持部
３３    上部平面
３４    挿入溝
３５    スリット
３５ａ  先端保持部
【図１】
2006107817.tif 000003
【図２】
2006107817.tif 000004
【図３】
2006107817.tif 000005
【図４】
2006107817.tif 000006